(57)【要約】      （修正有）【課題】効率良く泡を立てることができる泡立て器を提供する。【解決手段】泡立て器Ａは、食材を収納する容器１と、この容器１内に設けられた棒状体２と、棒状体２に取り付けられ、容器１の内底に対向するように設けられると共に、複数の開口部を有した第１の泡立て具３と、少なくとも、第１の泡立て具３に対向すると共に、棒状体２に取り付けられた複数の開口部を有した第２の泡立て具４とを有し、容器１内に前記食材を収納し、棒状体２を容器１内で上下動させて前記食材を泡立たせるものである。【選択図】図１
0003210505.tif 000002
【実用新案登録請求の範囲】
【請求項１】
食材を収納する容器と、
この容器内に設けられた棒状体と、
前記棒状体に取り付けられ、前記容器の内底に対向するように設けられると共に、複数の開口部を有した第１の泡立て具と、
少なくとも、前記第１の泡立て具に対向すると共に、前記棒状体に取り付けられた複数の開口部を有した第２の泡立て具とを有し、
前記容器内に前記食材を収納し、前記棒状体を前記容器内で上下動させて前記食材を泡立たせる
ことを特徴とする泡立て器。  
【請求項２】
第１の泡立て具と第２の泡立て具との間隔をスプーンが入る大きさに構成されている
ことを特徴とする請求項１記載の泡立て器。  
【請求項３】
第２の泡立て具の開口部の大きさを第１の泡立て具の開口部の大きさより小さく構成されている
ことを特徴とする請求項１記載の泡立て器。  
【請求項４】
食材を収納する容器と、
この容器内に設けられた棒状体と、
前記棒状体に取り付けられ、前記容器の内底に対向するように設けられると共に、複数の開口部を有した第１の泡立て具と、
少なくとも、前記第１の泡立て具に対向すると共に、前記棒状体に前記棒状体の長手方向の移動を許容するように取り付けられた複数の開口部を有した第２の泡立て具と、
前記棒状体に取り付けられ、前記第２の泡立て具の上方への移動を阻止するストッパーとを有し、
前記容器内に前記食材を収納し、前記棒状体を前記容器内で上下動させて前記食材が泡立たせる
ことを特徴とする泡立て器。 
【請求項５】
容器の内壁面に対向する第１の泡立て具の外周部を凹凸形状に形成する
ことを特徴とする請求項１又は請求項４記載の泡立て器。
【考案の詳細な説明】
【技術分野】
【０００１】
本考案は、泡立て器に係り、特に、効率良く泡を立てることができる泡立て器に関する。
【背景技術】
【０００２】
従来、洗顔料などの石けんを泡立てる場合に用いられるものとして、石けん泡立て器がある（特許文献１参照）。
この石けん泡立て器は、洗顔料などの石けんを泡立てる場合に用いられ、使用に際しては、適量の湯水と石けんを投入した容器内で、持ち手が容器の外周側に位置する泡立て具を上下動させることで、当該容器内の石けん水が泡立ち、その泡を掬い取って洗顔等に利用するものである。
【先行技術文献】
【特許文献】
【０００３】
【特許文献１】意匠登録第１５６８３３８号公報（使用状態を示す参考断面図参照）
【考案の概要】
【考案が解決しようとする課題】
【０００４】
上記石けん泡立て器を食材の泡立て器に転用した場合、より短時間に泡を立たせたいという要望が生じた。
【０００５】
本考案は、上記の要望を考慮してなされたもので、効率良く泡を立てることができる泡立て器を提供することである。
【課題を解決するための手段】
【０００６】
請求項１記載の泡立て器は、食材を収納する容器と、この容器内に設けられた棒状体と、前記棒状体に取り付けられ、前記容器の内底に対向するように設けられると共に、複数の開口部を有した第１の泡立て具と、少なくとも、前記第１の泡立て具に対向すると共に、前記棒状体に取り付けられた複数の開口部を有した第２の泡立て具とを有し、前記容器内に前記食材を収納し、前記棒状体を前記容器内で上下動させて前記食材を泡立たせるものである。
【０００７】
また、請求項２記載の泡立て器は、請求項１記載の泡立て器において、第１の泡立て具と第２の泡立て具との間隔をスプーンが入る大きさに構成されているものである。
【０００８】
また、請求項３記載の泡立て器は、請求項１記載の泡立て器において、第２の泡立て具の開口部の大きさを第１の泡立て具の開口部の大きさより小さく構成されているものである。
【０００９】
また、請求項４記載の泡立て器は、食材を収納する容器と、この容器内に設けられた棒状体と、前記棒状体に取り付けられ、前記容器の内底に対向するように設けられると共に、複数の開口部を有した第１の泡立て具と、少なくとも、前記第１の泡立て具に対向すると共に、前記棒状体に前記棒状体の長手方向の移動を許容するように取り付けられた複数の開口部を有した第２の泡立て具と、前記棒状体に取り付けられ、前記第２の泡立て具の上方への移動を阻止するストッパーとを有し、前記容器内に前記食材を収納し、前記棒状体を前記容器内で上下動させて前記食材が泡立たせるものである。
【００１０】
また、請求項５記載の泡立て器は、請求項１又は請求項４記載の泡立て器において、容器の内壁面に対向する第１の泡立て具の外周部を凹凸形状に形成するものである。
【考案の効果】
【００１１】
請求項１記載の泡立て器によれば、容器内に食材を収納し、棒状体を前記容器内で上下動させて、複数の開口部を有した第１の泡立て具に加えて、複数の開口部を有した第２の泡立て具を設けることにより、第１の泡立て具のみならず第２の泡立て具をも使用して、短時間に食材に泡を立てることができる。
【００１２】
また、請求項２記載の泡立て器によれば、上述した請求項１記載の考案の効果に加え、第１の泡立て具と第２の泡立て具との間隔をスプーンが入る大きさに構成されているため、第１の泡立て具と第２の泡立て具との間にある泡をスプーンにより容易に取り除くことができる。
【００１３】
また、請求項３記載の泡立て器によれば、上述した請求項１記載の考案の効果に加え、第２の泡立て具の開口部の大きさを第１の泡立て具の開口部の大きさより小さく構成されているため、第１の泡立て具の開口部の大きさが大きい分、食材が第１の泡立て具を通過し易く、通過した食材は第２の泡立て具により微細な泡を形成することができる。
【００１４】
また、請求項４記載の泡立て器によれば、容器内に食材を収納し、棒状体を前記容器内で上下動させて、複数の開口部を有した第１の泡立て具に加えて、複数の開口部を有した第２の泡立て具を設けることにより、少なくとも、第１の泡立て具、この第１の泡立て具に対向した第２の泡立て具を使用して、短時間に食材に泡を立てることができる。
【００１５】
また、請求項５記載の泡立て器によれば、棒状体を容器内で上下動させる際、第１の泡立て具の複数の開口部に加え、容器の内壁面に対向する第１の泡立て具の外周部の凹凸形状に形成する部位との間を介して、泡を形成することができる。
【図面の簡単な説明】
【００１６】
【図１】図１は、本考案の一実施例の泡立て器を概略的に示す写真である。
【図２】図２は、図１の泡立て器の構成部材を概略的に示す写真である。
【図３】図３は、図２の棒状体の先端に設けた雄ねじと第１の泡立て具の雌ねじとの螺合状態を緩めた状態を示す写真である。
【図４】図４は、図２の棒状体から第１の泡立て具を取り外した状態を示す写真である。
【図５】図５は、図４の棒状体から第２の泡立て具を取り外した状態を示す写真である。
【図６】図６は、第１の泡立て具を指で把持した状態を示す写真である。
【図７】図７は、第２の泡立て具を指で把持した状態を示す写真である。
【図８】図８（ａ）〜（ｅ）は、泡立て器の使用形態を概略的に示す概略的図である。
【考案を実施するための形態】
【００１７】
本考案の一実施例の泡立て器を図１乃至図８を参照して説明する。
図１に示すＡは、卵、生クリーム、牛乳等の食材に空気を混入して泡を形成する泡立て器である。
この泡立て器Ａは、食材を収納する容器１と、この容器１内に設けられた棒状体２と、棒状体２に取り付けられ、容器１の内底に対向するように設けられると共に、複数の開口部３ａを有した第１の泡立て具３と、少なくとも、第１の泡立て具３に対向すると共に、棒状体２に取り付けられた複数の開口部４ａを有した第２の泡立て具４とを有している。５は、容器１の上部の内側縁部１ａに係止される蓋である。
これら容器１、棒状体２、第１の泡立て具３、第２の泡立て具４、蓋５は、例えば、合成樹脂で形成されている。
【００１８】
卵を例にとり、泡立て器Ａの使用例を具体的に説明すると、図８に示すように、容器１内に卵白と塩少々入れ［図８（ａ）］、容器１内の棒状体２を上下に移動させて、卵白を泡立たせる［図８（ｂ）］。次に、泡だった卵白に卵黄、砂糖少々を入れてスプーンでかき混ぜるようにする［図８（ｃ）］。
その後、バター又は油を薄く引いたフライパンで、蓋をして弱火で約7分焼き、ターナーで半分に折って、ふわふわしたオムレツを作ることができる［図８（ｄ）（ｅ）］。
【００１９】
なお、第１の泡立て具３と第２の泡立て具４との間隔（例えば、約１ｃｍ）はスプーン（図示せず）が入る大きさに構成されているため、第１の泡立て具３と第２の泡立て具４との間にある泡をスプーン（図示せず）により容易に取り除くことができる。
また、第１の泡立て具３と第２の泡立て具４との間隔は、例えば、下記のようにして、構成することができる。
棒状体２の中途に棒状体２の直径より大きな部位をストッパー部１Ｓ（図１参照）として形成する。
また、図７に示すように、円盤状の第２の泡立て具４の中心部に第２の泡立て具４の一方の面４Ａと他方の面４Ｂを貫通し、一方の面４Ａと他方の面４Ｂより突出する筒部４１を形成する。
そして、図２〜図４、図７に示すように、一方の面４Ａより突出する筒部４１の端面４１Ａをストッパー部１Ｓに、他方の面４Ｂより突出する筒部４１の端面４１Ｂを後述する筒部３１の端面３１Ｂに、それぞれ当接して、第１の泡立て具３と第２の泡立て具４との間隔を保つようにしている。
なお、図３、図６に示すように、円盤状の第１の泡立て具３の中心部に、貫通すると共に、第１の泡立て具３の第２の泡立て具４の対向する面より突出する筒部３１が形成されている。
また、図２〜図５に示すように、棒状体２の先端に雄ネジ２Ａを、第１の泡立て具３の中心部に雌ネジ３Ａを、それぞれ形成し、雄ネジ２Ａを雌ネジ３Ａに螺合して、棒状体２に第１の泡立て具３を取り付ける。
そうすると、筒部４１の端面４１Ａがストッパー部１Ｓに、筒部３１の端面３１Ｂが筒部４１の端面４１Ｂに、それぞれ当接して、第１の泡立て具３と第２の泡立て具４との間隔が保たれると共に、前記間隔（例えば、約１ｃｍ）がスプーン（図示せず）が入る大きさに構成されることとなる（図２〜図５、図７、図８参照）。
【００２０】
従って、上述した泡立て器Ａによれば、容器１内に食材（例えば、卵白）を収納し、棒状体２を容器１内で上下動させて、複数の開口部３ａを有した第１の泡立て具３に加えて、複数の開口部４ａを有した第２の泡立て具４を設けることにより、少なくとも、第１の泡立て具３、この第１の泡立て具３に対向した第２の泡立て具４を使用して、短時間に食材に泡を立てることができる。
【００２１】
なお、上述した実施例においては、泡立て具を第１の泡立て具３、第２の泡立て具４と２個用いたが、本願考案にあっては、これに限らず、３個以上設けるようにしても良い。また、第２の泡立て具４の開口部４ａの大きさを第１の泡立て具３の開口部３ａの大きさと同じように構成している。
開口部３ａ、開口部４ａの形状は、○形状でも、△形状でも、□形状でも、スリット形状等でも良い。
【００２２】
なお、本実施例の開口部３ａ、開口部４ａは、共に、同じ大きさ、例えば、直径約２ｍｍの円としたが、本願考案にあっては、これに限らず、第２の泡立て具４の開口部４ａの大きさを第１の泡立て具３の開口部３ａの大きさより小さく構成するようにしても良い。例えば、開口部３ａを直径約２．５ｍｍの円、開口部４ａを直径約２ｍｍの円とする。
【００２３】
このように、第２の泡立て具４の開口部４ａの大きさを第１の泡立て具３の開口部３ａの大きさより小さく構成されていると、第１の泡立て具３の開口部３ａの大きさが大きい分、食材が第１の泡立て具３を通過し易く、通過した食材は第２の泡立て具４により微細な泡を形成することができる。
【００２４】
なお、上述した実施例においては、筒部４１の端面４１Ａがストッパー部１Ｓに、筒部３１の端面３１Ｂが筒部４１の端面４１Bに、それぞれ当接して、第１の泡立て具３と第２の泡立て具４との間隔が保たれると共に、前記間隔（例えば、約１ｃｍ）がスプーン（図示せず）が入る大きさに構成するようにしたが、
本願考案は、これに限らず、図示しないが、例えば、筒部３１又は筒部４１を省略して、例えば、第２の泡立て具４を、第１の泡立て具３に対向すると共に、第１の泡立て具３及び第２の泡立て具４を、棒状体２に棒状体２の長手方向の移動を許容するように取り付けるようにしても良い。
このような泡立て器Ａにあっても、容器１内に食材を収納し、棒状体２を容器１内で上下動させて、複数の開口部３ａを有した第１の泡立て具３に加えて、複数の開口部４ａを有した第２の泡立て具４を設けることにより、少なくとも、第１の泡立て具３、この第１の泡立て具３に対向した第２の泡立て具４を使用して、短時間に食材に泡を立てることができる。
【００２５】
また、上述した実施例においては、容器１の内壁面に対向する第１の泡立て具３の外周部を凹凸形状のない円形状としたが、本願考案にあっては、これに限らず、図示しないが、例えば、容器１の内壁面に対向する第１の泡立て具３の外周部を凹凸形状に形成するようにしても良い。
容器１の内壁面に対向する第１の泡立て具３の外周部を凹凸形状に形成した泡立て器Ａにあっては、棒状体２を容器１内で上下動させる際、第１の泡立て具３の複数の開口部３ａに加え、容器１の内壁面に対向する第１の泡立て具３の外周部の凹凸形状に形成する部位との間を介して、泡を形成することができる。
【符号の説明】
【００２６】
Ａ      泡立て器
１      容器
２      棒状体
３      第１の泡立て具
３ａ    開口部（第１の泡立て具）
４       第２の泡立て具
４ａ    開口部（第２の泡立て具）
【図１】
0003210505.tif 000003
【図２】
0003210505.tif 000004
【図３】
0003210505.tif 000005
【図４】
0003210505.tif 000006
【図５】
0003210505.tif 000007
【図６】
0003210505.tif 000008
【図７】
0003210505.tif 000009
【図８】
0003210505.tif 000010